(57)【要約】【課題】  光学部品を光路上と光路外との間を移動させ、ガタつきによる不正確な位置決めがなされない光学部品の切換機構を提供する。【解決手段】  光学部品３１と、光学部品３１を保持するホルダ部材３２と、光軸に対して直交する平面上で、光学部品３１を、光軸位置から退避位置に亘って回転駆動させる駆動モータ４１を有する駆動機構４０と、駆動モータ４１を保持する保持部材３７と、ホルダ部材３２の回転を規制する規制部材３６ａとを備え、駆動機構４０は、駆動モータ４１と、平面上に設けられ駆動モータ４１の回転軸４３に取り付けられるウォーム４４と、ウォーム４４と噛み合いホルダ部材４２と一体に設けられるウォームホイール４２ｃとからなり、ウォーム４４が回転し光学部品３１を光軸位置における規制部材３６ａに向かって駆動させる回転送り方向が、駆動モータ４１に近接する方向である。【選択図】  図４
2010156807.tif 000002
【特許請求の範囲】
【請求項１】
光学部品と、
上記光学部品を保持するホルダ部材と、
光軸に対して直交する平面上で、上記ホルダ部材に保持された光学部品を、該光軸上にある光軸位置から該光軸上にない退避位置に亘って回転駆動させる駆動モータを有する駆動機構と、
少なくとも上記ホルダ部材に保持された光学部品の回転が上記光軸位置において規制される、上記ホルダ部材の回転を規制する規制部材とを備え、
上記駆動機構は、上記駆動モータと、該駆動モータの回転軸に取り付けられるウォームと、該ウォームと噛み合い上記ホルダ部材に設けられるウォームホイールとからなり、
上記ウォームが回転し上記光学部品を上記光軸位置における上記規制部材に向かって駆動させる回転送り方向が、上記駆動モータに近接する方向である光学部品の切換機構。
【請求項２】
上記光学部品は、赤外光を遮蔽する光学部品である請求項１記載の光学部品の切換機構。
【請求項３】
上記駆動モータは、該駆動モータを上記回転軸の軸方向に移動可能に保持する保持部材に保持される請求項１又は２記載の光学部品の切換機構。
【請求項４】
上記駆動モータ及び上記保持部材には、上記平面上の位置決めを行う位置決め部材と、該駆動モータの回転軸の軸方向を規定する軸決め部材とが設けられる請求項１乃至３のうちのいずれか１項記載の光学部品の切換機構。
【請求項５】
上記ウォームホイール及び上記ウォームは、上記光学部品が光軸位置にあるときに、該ウォームの回転を規制する規制部と該規制部に当接する当接部とをそれぞれ有する請求項１記載の光学部品の切換機構。
【請求項６】
一端側から光が入射される筒状の鏡筒本体内に設けられる光学部品と、
上記光学部品を保持するホルダ部材と、
上記鏡筒本体内に設けられ、光軸に対して直交する平面上で、上記ホルダ部材に保持された光学部品を、該光軸上にある光軸位置から該光軸上にない退避位置に亘って回転駆動させる駆動モータを有する駆動機構と、
少なくとも上記ホルダ部材に保持された光学部品の回転が上記光軸位置において規制される、上記ホルダ部材の回転を規制する規制部材とを備え、
上記駆動機構は、上記駆動モータと、該駆動モータの回転軸に取り付けられるウォームと、該ウォームと噛み合い上記ホルダ部材に設けられるウォームホイールとからなり、
上記ウォームが回転し上記光学部品を上記光軸位置における上記規制部材に向かって駆動させる回転送り方向が、上記駆動モータに近接する方向であるレンズ鏡筒。
【請求項７】
撮像装置本体と、
上記撮像装置本体と一体に形成、又は、連結されるレンズ鏡筒とを備え、
上記レンズ鏡筒は、
一端側から光が入射される筒状の鏡筒本体内に設けられる光学部品と、
上記光学部品を保持するホルダ部材と、
上記鏡筒本体内に設けられ、光軸に対して直交する平面上で、上記ホルダ部材に保持された光学部品を、該光軸上にある光軸位置から該光軸上にない退避位置に亘って回転駆動させる駆動モータを有する駆動機構と、
少なくとも上記ホルダ部材に保持された光学部品の回転が上記光軸位置において規制される、上記ホルダ部材の回転を規制する規制部材とを備え、
上記駆動機構は、上記駆動モータと、該駆動モータの回転軸に取り付けられるウォームと、該ウォームと噛み合い上記ホルダ部材に設けられるウォームホイールとからなり、
上記ウォームが回転し上記光学部品を上記光軸位置における上記規制部材に向かって駆動させる回転送り方向が、上記駆動モータに近接する方向である撮像装置。
【発明の詳細な説明】
【技術分野】
【０００１】
本発明は、カメラ等に用いられ、赤外光を遮蔽等する光学部品を光軸上にある状態と光軸上にない状態とで切換えを行う光学部品の切換機構、この切換機構を用いたレンズ鏡筒、さらに、このレンズ鏡筒を備える撮像装置に関する。
【背景技術】
【０００２】
従来、動画や静止画を撮像するビデオカメラやデジタルスチルカメラ等には、レンズ鏡筒が、カメラ本体と一体または別体に設けられる。このレンズ鏡筒は、例えば、変倍をする機能を有するレンズ群、変倍または被写体距離の変化に伴う像面変動を補正する機能を有するレンズ群などが円筒状の鏡筒本体に組み込まれて構成される。
【０００３】
また、このレンズ鏡筒においては、入射光量を調整するための各種フィルタ、例えば、赤外光を遮蔽するための赤外光カットフィルタが、光路上に設けられている。
【０００４】
ところで、近年のビデオカメラ等には、様々な撮影モードがあり、通常時の撮影の他に、夜間撮影を可能とする、いわゆるナイトショット撮影モードを備えるものもある。このナイトショット撮影モードでは、赤外光を積極的に取り込む必要があることから、上述の赤外光カットフィルタを光路上から取り除く必要がある。
【０００５】
そこで、この赤外光カットフィルタを光路外に移動させる機構である光学部品の切換機構を備えるレンズ鏡筒が提案されている（例えば、特許文献１参照。）。
【０００６】
この光学部品の切換機構には、手動で切換えを行うものや、モータを駆動源として電動で切換えるものがある。手動による切換えでは、ユーザの操作方法によっては、メカ機構に余計な負荷がかかり故障する場合がある。
【０００７】
また、電動による切換えでは、モータからの駆動源を伝達するリンク機構が複雑なものとなり、これらリンク機構の組立精度等により、ガタつきが生じる場合があった。さらに、電動による切換えでは、上述のガタつきを考慮して、大きめの光学部品が用いられるようにしており、このことから、レンズ鏡筒自体の大型化または高額化につながっていた。
【０００８】
【特許文献１】特開平１１−１９４４１７号公報
【発明の開示】
【発明が解決しようとする課題】
【０００９】
そこで、本発明は、上述のような従来の実情に鑑みてなされたものであり、光学部品を光路上と光路外との間を移動させ、ガタつきによる不正確な位置決めがなされない光学部品の切換機構、この切換機構を有するレンズ鏡筒、及び撮像装置を提供することを目的とする。
【課題を解決するための手段】
【００１０】
上述した目的を達成するために、本発明に係る光学部品の切換機構は、光学部品と、上記光学部品を保持するホルダ部材と、光軸に対して直交する平面上で、上記ホルダ部材に保持された光学部品を、該光軸上にある光軸位置から該光軸上にない退避位置に亘って回転駆動させる駆動モータを有する駆動機構と、少なくとも上記ホルダ部材に保持された光学部品の回転が上記光軸位置において規制される、上記ホルダ部材の回転を規制する規制部材とを備える。そして、上記駆動機構は、上記駆動モータと、該駆動モータの回転軸に取り付けられるウォームと、該ウォームと噛み合い上記ホルダ部材に設けられるウォームホイールとからなり、上記ウォームが回転し上記光学部品を上記光軸位置における上記規制部材に向かって駆動させる回転送り方向が、上記駆動モータに近接する方向である。
【００１１】
また、本発明に係るレンズ鏡筒及び撮像装置は、上述の光学部品の切換機構を備えるものである。
【発明の効果】
【００１２】
本発明では、駆動モータに設けられるウォームが回転し上記光学部品を上記光軸位置における規制部材に向かって駆動させる回転送り方向が、駆動モータに近接する方向となるように形成されている。このため、本発明では、光学部品が規制部材に規制された状態からさらに駆動モータを駆動させることで、ウォームが取り付けられる回転軸が駆動モータから引き抜かれる方向に力が働くこととなる。しかし、この回転軸には、駆動モータ内へ引き戻される力が働き、駆動モータの停止後にこの引き戻し力により、ウォームが駆動モータに近接する方向に力が作用する。そして、ウォームが駆動モータに近接する方向に力が作用することから、ウォームと噛み合ったウォームホイールを介して光学部品を規制部材に向かう方向に力が作用する。そのため、本発明では、ホルダ部材を光軸位置に保持し続けることとなる。したがって、ホルダ部材に保持された光学部品は、光軸位置に正確に位置合わせされ、ガタつき等を考慮した大きめのサイズとする必要がなくなる。
【発明を実施するための最良の形態】
【００１３】
以下、本発明の光学部品の切換機構を有するレンズ鏡筒について、図面を参照して詳細に説明をする。本発明のレンズ鏡筒５は、図１に示すようなデジタルビデオカメラ１に用いられ、焦点を可変とすることができる、いわゆるズーム機能を有するものである。なお、レンズ鏡筒５は、デジタルビデオカメラ１に限らず、静止画の撮像を主とする電子スチルカメラに一体的に取り付けられるものであってもよく、また、一眼レフカメラの交換レンズとして用いられるものであってもよい。
【００１４】
＜撮像装置＞
撮像装置として示すデジタルビデオカメラ１は、例えば、本体部２と、この本体部２の一側面に開閉可能に取り付けられたパネル部３と、このパネル部３とは反対側の本体部２の他側面に回動可能に取り付けられたグリップ部４とを備えている。
【００１５】
本体部２は、被写体の像を撮影するための撮像ユニットを有しており、この本体部２の前面には、１群レンズ１１を外部に臨ませるレンズ鏡筒５が突出して設けられている。また、本体部２の上面部２ａには、音声を収録するための音声収録ユニットとして、マイクロフォン等のステレオマイク６が設けられている。
【００１６】
＜レンズ鏡筒＞
レンズ鏡筒５は、図２に示すように、全体が略筒形状の鏡筒本体１０と、鏡筒本体１０内に複数のレンズ群１１〜１５と、赤外光カットガラス切換部１６とが設けられている。なお、図２に示すレンズ鏡筒５は、１群レンズ１１の一部を除いては、デジタルビデオカメラ１の本体部２内に配設される。そのため、図２においては、化粧パネルを除いたものを示すが、交換レンズとして用いる場合には、グリップ部、化粧パネル等が設けられる。
【００１７】
レンズ鏡筒５には、図３に示すように、複数のレンズユニットが保持されている。このレンズ鏡筒５が保持するレンズ系は、５組のレンズユニットであるレンズ群を同一光軸７上に配置した５群レンズ１１〜１５からなるレンズ系である。これら５群レンズ１１〜１５は、略円筒状の鏡筒本体１０に取り付けられている。また、レンズ鏡筒５は、鏡筒本体１０内の対向する壁面に亘って複数本のガイド軸２０が架設されている。このガイド軸２０には、２群レンズ１２、４群レンズ１４が摺動可能に嵌挿されている。
【００１８】
なお、ガイド軸２０は、図３においては、２本形成される図を示しているが、これに限らず、適宜設けるようにしてもよい。また、可動レンズである２群レンズ１２及び４群レンズ１４がガイド軸２０に嵌挿されていることを述べたが、これに限らず、それぞれ、別のガイド軸を設け、それらのガイド軸に嵌挿されるようにしてもよい。
【００１９】
５群レンズ１１〜１５及び赤外光カットガラス切換部１６を保持する鏡筒本体１０は、一端１０ａ側から光が入射される略円筒状からなり、樹脂成型により形成されている。鏡筒本体１０は、一端１０ａ側に１群レンズ１１が設けられ、他端１０ｂ側において撮像素子１７が設けられる。
【００２０】
鏡筒本体１０により保持される５群レンズ１１〜１５は、鏡筒本体１０内を被写体側から順に光軸７が一致するように配置され、１群レンズ１１、３群レンズ１３及び５群レンズ１５が、鏡筒本体１０に固定され、２群レンズ１２と４群レンズ１４とが、光軸７方向に移動可能に保持されている。
【００２１】
５群レンズ１１〜１５のうち、鏡筒本体１０の一端１０ａ側に配置される１群レンズ１１は、被写体に対向される３つの対物レンズである第１のレンズ１１ａ、第２のレンズ１１ｂ、第３のレンズ１１ｃからなっている。１群レンズ１１の第１乃至第３のレンズ１１ａ〜１１ｃは、レンズ周囲を保持する１群レンズ保持枠２１に保持され、この１群レンズ保持枠２１を介して鏡筒本体１０の一端１０ａ側に固定されている。１群レンズ１１の第１のレンズ１１ａは、十分な周辺光量を得られるだけの有効径を有し、鏡筒本体１０の径と略同一である。すなわち、第１のレンズ１１ａの径に応じて、鏡筒本体１０の大きさが決まる。この１群レンズ１１では、入射光が第１のレンズ１１ａ、第２のレンズ１１ｂ、第３のレンズ１１ｃを順に透過し、２群レンズ１２に出射する。
【００２２】
２群レンズ１２は、正の屈折率を有するレンズ１２ａ、負の屈折率を有するレンズ１２ｂからなり、光軸７上を望遠及び広角方向に移動し画角を変更する機能、いわゆる変倍機能を備える。２群レンズ１２のレンズ１２ａ、１２ｂは、レンズ周囲を保持する２群レンズ保持枠２２に保持されている。この２群レンズ保持枠２２は、中央部に厚さ方向、すなわち光軸方向に貫通して形成された貫通孔２２ａにレンズ１２ａ、１２ｂが取り付けられる。２群レンズ保持枠２２は、光路外に図示しない貫通孔が設けられ、この貫通孔にガイド軸２０が嵌挿され、ガイド軸２０の軸方向、すなわち光軸方向に摺動可能となる。２群レンズ保持枠２２には、駆動モータが接続され、この駆動モータからの駆動力により、光軸方向に駆動される。この２群レンズ１２のレンズ１２ａ、１２ｂを透過した光は、３群レンズ１３に入射される。
【００２３】
３群レンズ１３は、鏡筒本体１０に３群レンズ保持枠２３を介して固定される２枚の正の屈折率を有するレンズ１３ａ、１３ｂと、負の屈折率を有するレンズ１３ｃとからなっている。３群レンズ１３の後段には、レンズ１４ａからなる４群レンズ１４が配置されている。
【００２４】
４群レンズ１４は、３群レンズ１３の後段の鏡筒本体１０内を、光軸７上をテレ及びワイド方向に移動し変倍するとともに、被写体距離の変化に伴う像面変動を補正する機能、いわゆるフォーカス機能を備える。４群レンズ１４のレンズ１４ａは、レンズ周囲を保持する４群レンズ保持枠２４に保持されている。
【００２５】
この４群レンズ保持枠２４は、２群レンズ保持枠２２と同様に、中央部に厚さ方向、すなわち光軸方向に貫通して形成された貫通孔２４ａにレンズ１４ａが取り付けられる。また、４群レンズ保持枠２４は、光路外にガイド軸２０が嵌挿される貫通孔を有し、ガイド軸２０に沿って、すなわち光軸方向に摺動可能となる。４群レンズ保持枠２４には、駆動モータが接続され、この駆動モータからの駆動力により、光軸方向に駆動される。４群レンズ１４の後段には、レンズ１５ａ、１５ｂからなる５群レンズ１５が配置されている。
【００２６】
５群レンズ１５は、鏡筒本体１０に５群レンズ保持枠２５を介して固定される１枚の負の屈折率を有するレンズ１５ａと、正の屈折率を有するレンズ１５ｂとからなっている。５群レンズ１５の後段には、光軸７上に赤外光カットガラス３１を出し入れする赤外光カットガラス切換部１６が配置されている。
【００２７】
赤外光カットガラス切換部１６は、シャーシ２６を介して鏡筒本体１０に固定され、シャーシ２６上を赤外光カットガラス３１を回動させることで、当該赤外光カットガラス３１を光軸７上に出し入れする。この赤外光カットガラス切換部１６の詳細は、後述する。
【００２８】
赤外光カットガラス切換部１６の後段には、撮像素子１７（ＣＣＤ（Charge-Coupled Devices）、ＣＭＯＳ（Complementary Metal-Oxide Semiconductor）等）が配置されている。撮像素子１７は、レンズ鏡筒５の鏡筒本体１０の他端１０ｂ側で光軸７上に位置するように、設けられている。撮像素子１７は、撮像素子１７の周囲を保持する保持枠２７に保持され、この保持枠２７を介して鏡筒本体１０の他端１０ｂ側に固定されている。なお、撮像素子１７は、レンズ鏡筒５に取り付けられることに限らず、レンズ鏡筒５とは別体にデジタルビデオカメラ１の本体部２に固定される構成であってもよい。
【００２９】
２群レンズ１２と４群レンズ１４とは、それぞれ別個独立に光軸７に沿ってテレ方向とワイド方向に移動する。この２群レンズ１２と４群レンズ１４とは、テレ又はワイド方向に移動することによって、ズーム（変倍）調整とフォーカス調整とを行う。すなわち、ズーム時には、２群レンズ１２と４群レンズ１４をワイド（広角）からテレ（望遠）まで移動することによってズーム調整を行う。また、フォーカス時には、４群レンズ１４をワイド（広角）からテレ（望遠）まで移動することによってフォーカス調整を実行する。
【００３０】
なお、レンズ鏡筒５は、上述のように、５群レンズ構成に限らず、鏡筒本体を有し、この鏡筒本体に、少なくとも１つのレンズ群が設けられているものであれば、いかなるものであってもよい。レンズ鏡筒５は、例えば、４群レンズ１４の後段に、振動等によって発生する像ぶれを補正する補正レンズを設けるようにしてもよい。さらに、レンズ鏡筒５は、３群レンズ１３の前段ないしレンズ１３ａとレンズ１３ｂとの間に、絞り機構を設けたり、偏光フィルタを介在させてもよい。
【００３１】
＜赤外光カットガラス切換部１６＞
次に、５群レンズ１５の後段に設けられる赤外光カットガラス切換部１６について詳述する。
【００３２】
赤外光カットガラス切換部１６は、図４及び図５に示すように、シャーシ２６と、光学部品の１つである赤外光カットガラス３１と、赤外光カットガラス３１を保持するホルダ部材３２と、ホルダ部材３２を回動駆動させる駆動機構４０と、駆動機構４０等をシャーシ２６に固定するカバー部材３３とからなる。赤外光カットガラス切換部１６は、赤外光をカットする赤外光カットガラス３１を、光軸７上にある光軸位置と光軸７上にない退避位置とに亘って移動させる。
【００３３】
なお、便宜上、光軸方向をｚ軸方向、ｚ軸と直交し、鏡筒本体１０に配置されたときの鉛直方向をｘ軸方向、ｚ軸及びｘ軸と直交する水平方向をｙ軸方向として説明をする。
【００３４】
赤外光カットガラス切換部１６のシャーシ２６は、その主面が、鏡筒本体１０の断面形状と略同一に、樹脂成型により形成されている。シャーシ２６には、主面の周縁に、立壁部２６ａが形成され、この立壁部２６ａに囲まれる領域に、ホルダ部材３２、駆動機構４０が収容されている。シャーシ２６には、主面の略中央部に５群レンズ１５からの出射光の光路となる開口部３４が設けられている。シャーシ２６は、開口部３４近傍に、ホルダ部材３２の回動軸となるボス３５がｚ軸方向に立設されている。また、シャーシ２６には、ホルダ部材３２の回動を規制する２つの規制片３６ａ、３６ｂが設けられている。規制片３６ａ、３６ｂは、いわゆるホルダ部材３２のメカ端を規定する部材である。一方の規制片３６ａは、赤外光カットガラス３１が光軸７上にある光軸位置を規定するものであり、他方の規制片３６ｂは、光軸７上にない退避位置を規定するものである。また、シャーシ２６には、ホルダ部材３２の回動領域上にホルダ部材３２が摺動する円弧状の摺動片２６ｂが設けられている。さらに、シャーシ２６の立壁部２６ａには、カバー部材３３の位置決めを行う位置決め孔２６ｃが形成されている。
【００３５】
また、シャーシ２６には、図６乃至図８に示すように、ボス３５に隣接するように、後述する駆動機構４０の駆動モータ４１を保持するモータ保持部３７が設けられている。このモータ保持部３７は、略円柱状の駆動モータ４１のモータ本体４２が載置される凹部３７ａが設けられている。モータ保持部３７の凹部３７ａは、駆動モータ４１の回転軸４３がｘ軸方向となり、回転軸４３に取り付けられるウォーム４４とホルダ部材３２のウォームホイール３２ｃとが噛み合う位置に形成されている。モータ保持部３７の凹部３７ａで、駆動モータ４１の回転軸４３の軸方向端部には、立壁部３７ｂが形成され、この立壁部３７ｂにモータ本体４２のｘｙ平面における位置決め片４２ａが挿通される位置決め孔３７ｃが設けられている。さらに、モータ保持部３７の凹部３７ａには、立壁部３７ｂと離間する位置に、モータ本体４２の軸方向の位置決めを行う軸決め部材としてのモータ本体４２の周面を受けるＶ字状の傾斜部３７ｄが設けられている。モータ保持部３７は、位置決め孔３７ｃにモータ本体４２の位置決め片４２ａが挿通されることで、ｘｙ平面、すなわち光軸７に直交する平面における位置決めが行われる。そして、傾斜部３７ｄにより、駆動モータ４１の回転軸４３の軸方向の位置決めが行われる。なお、モータ保持部３７は、位置決め孔３７ｃが設けられることに限らず、モータ本体４２のｘｙ平面における位置決めを行えるものであれば、いかなる構成であってもよい。例えば、凹部３７ａ側に位置決め片を設け、この位置決め片と対応する位置決め孔をモータ本体側に設けるようにしてもよい。
【００３６】
また、モータ保持部３７の凹部３７ａは、ウォーム４４が取り付けられる駆動モータ４１の回転軸４３の軸方向全長と比べてやや長めの寸法に形成されている（図８参照。）。これは、赤外光カットガラス切換部１６では、駆動モータ４１及びウォーム４４がｘ軸方向に移動する余地を残すためのものである。赤外光カットガラス切換部１６は、ウォーム４４とウォームホイール３２ｃとの噛み合いにより発生する喰い付きを駆動モータ４１側で補うためのものである。
【００３７】
ホルダ部材３２に保持される赤外光カットガラス３１は、１群レンズ１１側から透過される入射光のうち、赤外光のみを遮蔽する光学部品である。赤外光カットガラス３１は、撮像素子１７と略同一の主面形状を有し、例えば略矩形である。なお、本実施の形態においては、赤外光カットガラスを用いることについて説明をするが、これに限らず、撮影状況に応じた光学部品、例えば、光路長を補正するガラス、可視光をカットするレンズ等であってもよい。
【００３８】
赤外光カットガラス３１を保持するホルダ部材３２は、全体薄板状で、赤外光カットガラス３１の周縁を保持する枠体である。ホルダ部材３２には、中央に赤外光カットガラス３１と略同一の大きさの開口部３２ａが形成されている。また、ホルダ部材３２は、主面略矩形の一の角部近傍にボス３５が回動可能に遊嵌される軸受部３２ｂと、この軸受部３２ｂの周囲に形成されるウォームホイール３２ｃとを備える。ホルダ部材３２の軸受部３２ｂは、ボス３５に遊嵌されることで、ホルダ部材３２全体を光軸７と直交する平面上、すなわちｘｙ平面上を回動可能とする。また、ホルダ部材３２のウォームホイール３２ｃは、軸受部３２ｂの軸方向すなわちｚ軸方向の周囲に形成される扇形の歯車である。ウォームホイール３２ｃは、駆動機構４０のウォーム４４と噛み合い、駆動モータ４１からの駆動力が伝達され、ウォーム４４の回転に応じて、ホルダ部材３２を回動させる。ウォームホイール３２ｃは、赤外光カットガラス３１が光軸上にある光軸位置と光軸上にない退避位置との間を回動できるように歯車が形成されている。ホルダ部材３２は、シャーシ２６の規制片３６ａ、３６ｂにより回動量が規制される。すなわち、ホルダ部材３２は、駆動機構４０により回動され、規制片３６ａにｘ軸方向に平行なホルダ部材３２の側面が当接することで、光軸位置とされる。また、ホルダ部材３２は、駆動機構４０により回動され、規制片３６ｂにｙ軸方向に平行なホルダ部材３２の上面が当接することで、退避位置とされる。なお、ホルダ部材３２の回動量を規制する規制片３６ａ、３６ｂは、上述の位置に形成されることに限らず、ホルダ部材３２の回動を所定位置で規制することができるものであればよい。例えば、規制片３６ｂについては、シャーシ２６のｙ軸方向に平行な立壁部２６ａがその役割を果たすようにしてもよい。また、規制片３６ａについては、ホルダ部材３２のｘ軸方向に平行な下面が当接する位置に設けるようにしてもよい。さらに、赤外光カットガラス切換部１６では、光軸位置において精度よく位置決めできればよく、規制片３６ｂについては、必ずしも精度が要求されず、あるいは設けなくてもよい。
【００３９】
赤外光カットガラス切換部１６のカバー部材３３は、ホルダ部材３２及び駆動機構４０を覆う。カバー部材３３は、光軸７に対応する略中央部に５群レンズ１５からの出射光が入射される開口部３３ａが形成されている。また、カバー部材３３には、駆動モータ４１と対向する位置に駆動モータ４１をｚ軸方向に付勢して押さえる付勢部３８が形成されている。また、カバー部材３３には、シャーシ２６と固定するネジ３９が挿通される挿通孔３３ｂと、シャーシ２６との位置決めを行う位置決め片３３ｃが設けられている。カバー部材３３は、位置決め片３３ｃを、シャーシ２６の立壁部２６ａの位置決め孔２６ｃに挿通することで、位置合わせを行い、ネジ３９によりシャーシ２６の所定位置に固定される。位置決め片３３ｃは、付勢部３８が設けられる位置と離間するカバー部材３３周面に立設されている。これにより、カバー部材３３は、ネジ３９によるシャーシ２６への固定により確実に、付勢部３８における駆動モータ４１の付勢・保持が行われる。
【００４０】
カバー部材３３の付勢部３８は、駆動モータ４１と対向する位置に設けられる片持ち梁状の突片であり、カバー部材３３がシャーシ２６に固定されることで、駆動モータ４１のモータ本体４２の周面をｚ軸方向に付勢する。カバー部材３３は、ホルダ部材３２の軸受部３２ｂがボス３５から抜け落ちることを防止するとともに、駆動モータ４１をｚ軸方向に付勢する。
【００４１】
なお、付勢部３８は、通常の使用において駆動モータ４１自体が移動せず、ホルダ部材３２が回動され、規制片３６ａと当接した際に、ウォーム４４の歯車とウォームホイール３２ｃのギアとの喰い付きを防止するために駆動モータ４１の出力に応じて移動できる程度の付勢力が付与されている。
【００４２】
ホルダ部材３２を回動駆動させる駆動機構４０は、駆動モータ４１と、回転軸４３に固定されるウォーム４４と、ホルダ部材３２に一体に形成されるウォームホイール３２ｃとからなる。駆動機構４０は、駆動モータ４１からの回転駆動力をウォーム４４、ウォームホイール３２ｃを介してホルダ部材３２に伝達する機構である。すなわち、駆動機構４０は、赤外光カットガラス３１を、光軸上にある光軸位置と光軸上にない退避位置との間に亘って回動駆動させる。駆動機構４０の駆動モータ４１は、シャーシ２６のモータ保持部３７に保持される。
【００４３】
駆動機構４０の駆動モータ４１は、有底筒状のモータ本体４２と、このモータ本体４２内に一対のステータ磁石を備える。そして、駆動モータ４１は、ステータ磁石の内側に、中心に回転軸４３を有するロータコイルが設けられている。駆動モータ４１のモータ本体４２は、有底筒状であり、その一方端面に位置決め片４２ａが形成され、他方端面から軸方向に沿って回転軸４３が臨まされている。駆動モータ４１の位置決め片４２ａは、シャーシ２６のモータ保持部３７の位置決め孔３７ｃに挿通され、駆動モータ４１の位置決めを行う。ウォーム４４は、駆動モータ４１のロータコイルに設けられる回転軸４３に軸支される。駆動モータ４１に設けられるウォーム４４は、基端部（モータ本体４２）側から先端部側に向かって時計回りの螺旋状となる歯車が形成されている。すなわち、ウォーム４４は、そのウォーム歯車が回転し赤外光カットガラス３１を規制片３６ａに向かって駆動させる回転送り方向が、駆動モータ４１に近接する方向となるように形成されている。赤外光カットガラス切換部１６では、ホルダ部材３２が規制片３６ａと当接されてから後も、さらに駆動モータ４１を駆動し続けることで、ウォーム４４が取り付けられる回転軸４３が駆動モータ４１から引き抜かれる方向に力が働くこととなる。しかし、この回転軸４３には、ステータ磁石により駆動モータ４１内へ引き戻す力が働き、駆動モータ４１停止後もこの引き戻し力が働き、ウォーム４４が駆動モータ４１に近接する方向に力が作用する。そして、ウォーム４４が駆動モータ４１に近接する方向に力が作用することから、ウォーム４４と噛み合ったウォームホイール３２ｃを介して赤外光カットガラス３１を規制片３６ａに向かう方向に力が作用する。そのため、赤外光カットガラス切換部１６では、ホルダ部材３２を光軸位置に保持し続けることとなる。ウォーム４４の回転送り方向と駆動モータ４１との関係は、上述の引き戻し力を利用して、ホルダ部材３２の光軸位置を維持するための構成である。
【００４４】
なお、駆動機構４０のウォーム４４は、上述の回転方向にその歯車が形成されることに限らず、駆動モータ４１、ウォーム４４の歯車の回転送り方向、ウォームホイール３２ｃ、赤外光カットガラス３１の位置に応じて、適宜変更される。すなわち、ウォーム４４は、そのウォーム歯車が回転し赤外光カットガラス３１を規制片３６ａに向かって駆動させる回転送り方向が、駆動モータ４１に近接する方向となるように形成されればよい。例えば、駆動モータ４１のモータ本体４２をシャーシ２６のボス３５に対してｘ軸方向下側に設けた場合には、ウォーム４４の歯車の回転送り方向は、上述と逆方向となる。
【００４５】
このような構成を有する赤外光カットガラス切換部１６は、モータ保持部３７が、シャーシ２６に一体形成されている。そして、モータ保持部３７に駆動モータ４１の位置決めを行う構成が全て設けられ、一体成形されることから、駆動モータ４１の組立時における位置決めが精度よく行える。
【００４６】
赤外光カットガラス切換部１６は、駆動モータ４１の回転駆動力により、ホルダ部材３２が退避位置から光軸位置に亘って回転駆動される。また、赤外光カットガラス切換部１６では、光軸位置において規制片３６ａが設けられ、この規制片３６ａにホルダ部材３２が当接されることで、光軸位置を規定する。そして、駆動モータ４１に設けられるウォーム４４は、そのウォーム歯車が回転し赤外光カットガラス３１を規制片３６ａに向かって駆動させる回転送り方向が、駆動モータ４１に近接する方向となるように形成されている。赤外光カットガラス切換部１６では、ホルダ部材３２が規制片３６ａと当接されてから後も、さらに駆動モータ４１を駆動し続けることで、ウォーム４４が取り付けられる回転軸４３が駆動モータ４１から引き抜かれる方向に力が働くこととなる。しかし、この回転軸４３には、ステータ磁石により駆動モータ４１内へ引き戻す力が働き、駆動モータ４１停止後もこの引き戻し力が働き、ウォーム４４が駆動モータ４１に近接する方向に力が作用する。そして、ウォーム４４が駆動モータ４１に近接する方向に力が作用することから、ウォーム４４と噛み合ったウォームホイール３２ｃを介して赤外光カットガラス３１を規制片３６ａに向かう方向に力が作用する。そのため、赤外光カットガラス切換部１６では、ホルダ部材３２を光軸位置に保持し続けることとなる。したがって、ホルダ部材３２に保持された赤外光カットガラス３１は、光軸位置に正確に配置され、ガタつき等を考慮した大きめのサイズとする必要がなくなる。さらに、ホルダ部材３２が光軸位置から離間する外力が作用した場合であっても、規制片３６ａへの当接を維持し続けることができる。
【００４７】
また、赤外光カットガラス切換部１６は、駆動モータ４１がカバー部材３３の付勢部３８により付勢された状態でモータ保持部３７に保持されており、回転軸４３の軸方向に多少移動する余地が残されている。したがって、ウォーム４４の歯車とウォームホイール３２ｃのギアとの喰い付きを防止することができる。
【００４８】
また、赤外光カットガラス切換部１６は、赤外光カットガラス３１が、光軸７と直交する平面上を回動することから、光軸７方向への嵩高が抑えられ、レンズ鏡筒５の全長を短くすることができる。このため、レンズ鏡筒５の小型化が実現できるとともに、撮像素子１７に入射する光量を増やすことができる。
【００４９】
なお、赤外光カットガラス切換部１６は、赤外光カットガラス３１の光軸位置における正確な位置合わせを行えることについて述べたが、退避位置においては、赤外光カットガラス３１が光軸位置から退避していればよい。すなわち、退避位置においては、それほど、精度が要求されない。しかし、光軸位置における構成を、退避位置に適用するものであってもよいことは勿論である。また、赤外光カットガラス切換部１６は、上述のように、レンズ鏡筒５の撮像素子１７側に設けられることに限らず、鏡筒本体１０内のいかなる位置に設けてもよい。
【００５０】
＜赤外光カットガラス切換部の動作＞
次に、赤外光カットガラス切換部１６のホルダ部材３２が光軸７上にない退避位置にある状態から光軸位置に移動する動作について説明をする。
【００５１】
図９（Ａ）に示すように、赤外光カットガラス切換部１６は、赤外光カットガラス３１が光軸上にない退避位置にある。ユーザにより、赤外光カットガラス３１がこの退避位置から光軸位置となるように切換操作がなされると、駆動機構４０の駆動モータ４１が駆動する。駆動モータ４１が回転駆動されると、回転軸４３に取り付けられたウォーム４４が回転し、ウォーム４４と噛み合ったウォームホイール３２ｃに回転駆動力が伝達される。そして、ホルダ部材３２は、規制片３６ａに向かって回動される。ホルダ部材３２が規制片３６ａと当接されると、駆動モータ４１は、それ以上回動できなくなる。駆動モータ４１は、さらに駆動力を伝達し続けることで、ウォーム４４とウォームホイール３２ｃとが噛み合い、ホルダ部材３２を図９（Ｂ）の矢印Ａ方向に回動させる力が働く。このとき、ウォーム４４と、回動が規制されたウォームホイール３２ｃとの噛み合いにより、回転軸４３がモータ本体４２から引き抜かれる方向に力が働くこととなる。しかし、この回転軸４３には、ステータ磁石により駆動モータ４１内へ引き戻す力が働き、駆動モータ４１停止後もこの引き戻し力が働き、ウォーム４４が駆動モータ４１に近接する方向に力が作用する。そして、ウォーム４４が駆動モータ４１に近接する方向に力が作用することから、ウォーム４４と噛み合ったウォームホイール３２ｃを介して赤外光カットガラス３１を規制片３６ａに向かう方向に力が作用する。そのため、赤外光カットガラス切換部１６では、ホルダ部材３２を光軸位置に保持し続けることとなる。そして、赤外光カットガラス３１を光軸位置に正確に切換える。また、赤外光カットガラス切換部１６においては、駆動モータ４１が回転軸４３の軸方向に移動可能に保持されることから、駆動モータ４１全体が移動することで、ウォーム４４の歯車とウォームホイール３２ｃのギアとの喰い付きを防止することができる。
【００５２】
＜第２の実施の形態＞
続いて、本発明に係る赤外光カットガラス切換部の第２の実施の形態について説明をする。なお、以下においては、赤外光カットガラス切換部１６と同様の構成については、同様の符号を付し、その説明を省略する。
【００５３】
第２の実施の形態として示す赤外光カットガラス切換部は、駆動機構４０のウォーム４４及びウォームホイール３２ｃに代えて、図１０及び図１１に示すようなウォーム５１及びウォームホイール５２を有する駆動機構５０が設けられている。
【００５４】
駆動機構５０のウォーム５１は、図１０（Ａ）に示すように、ウォーム４４と同一の回転送り方向の歯車が形成され、駆動モータ４１の回転軸４３に取り付けられるものであり、歯車の先端に当接部５３が設けられている。このウォーム５１は、当接部５３がウォームホイール５２の規制部５４と当接されることで、その駆動モータ４１からの回転が規制され、駆動モータ４１をロックする。ウォーム５１の当接部５３は、図１１（Ｂ）に示すように、回転軸４３を含む平面上に形成される当接面５３ａを有し、この当接面５３ａがウォーム５１の先端の歯車と連続する。当接部５３は、ホルダ部材３２が規制片３６ａと当接されるタイミングよりやや遅いタイミングで、この当接面５３ａと規制部５４とが当接する位置に形成されている。これにより、ウォーム５１の歯車とウォームホイール５２のギアとの喰い付きを防止することができる。
【００５５】
ウォームホイール５２の規制部５４は、図１０（Ｂ）及び図１１（Ａ）に示すように、ホルダ部材３２が光軸位置にあるときにウォーム５１の当接部５３と当接される突片である。規制部５４は、図１１（Ｂ）に示すように、回転軸４３を含むｘｙ平面上に当接部５３と当接される平面５４ａを有する。換言すると、規制部５４は、ホルダ部材３２が光軸位置にあるときにウォーム４４と噛み合うウォームホイール３２ｃの最終ギアを、ウォーム５１と噛み合わない大きさに形成した突片である（図１１（Ｃ）参照。）。
【００５６】
ウォーム５１及びウォームホイール５２を有する赤外光カットガラス切換部では、ホルダ部材３２が規制片３６ａと当接されるタイミングとやや遅いタイミングで、当接部５３が規制部５４と当接され、ウォーム５１の回転が規制、ロックされる。そして、当接部５３が規制部５４と当接されることで、ウォーム５１の歯車とウォームホイール５２のギアとの喰い付きを防止することができる。
【００５７】
なお、当接部５３と規制部５４とは、上述のような構成に限らず、ホルダ部材３２が規制片３６ａと当接されるタイミングよりやや遅いタイミングで、ウォーム５１の回転がウォームホイール５２により規制されるものであればよい。したがって、規制部５４は、回転軸４３を含むｘｙ平面上に当接部５３の当接面５３ａが当接される平面５４ａを有することに限らない。また、当接部５３は、規制部５４をｚ軸方向に押圧する方向で当接されることに限らない。さらに、当接部５３と規制部５４とは、平面同士が当接されることについて述べたが、これに限らず、規制部５４を、ホルダ部材３２が規制片３６ａと当接する方向に押圧するように、当接部５３の当接面を傾斜させるようにしてもよい。
【００５８】
＜変形例＞
ウォーム５１とウォームホイール５２とを有する赤外光カットガラス切換部は、さらに、図１２及び図１３に示すように、光軸位置において、ホルダ部材３２を規制片３６ａに付勢する付勢機構６１を有するものであってもよい。
【００５９】
変形例として示す赤外光カットガラス切換部６０は、図１２及び図１３に示すように、ホルダ部材６２に取り付けられるバネ部材６３と、ホルダ部材６２が光軸位置にあるときにバネ部材６３により押圧されるボス６４とからなる付勢機構６１を備える。
【００６０】
付勢機構６１のバネ部材６３が取り付けられるホルダ部材６２は、ホルダ部材３２と同一構成にさらに、バネ部材６３を保持する保持部６２ａが形成されている。具体的には、ホルダ部材６２は、全体薄板状で、赤外光カットガラス３１の周縁を保持する枠体である。ホルダ部材６２の保持部６２ａは、枠体のｙ軸方向下側に設けられる平面視略三角形の薄板からなる。保持部６２ａは、その主面に、バネ部材６３の第１の弾性アーム６３ａの係止部６３ｃが係止されるアーム係止部６５を有する。さらに保持部６２ａは、バネ部材６３の環状係合部６３ｄが係合される係合部６６と、第２の弾性アーム６３ｂが係止されるアーム係止部６７と、ボス６８とを有する。
【００６１】
保持部６２ａのアーム係止部６５、６７は、それぞれ第１及び第２の弾性アーム６３ａ、６３ｂを係止するものである。アーム係止部６５は、ホルダ部材６２の枠体の側壁と一体に形成されている。また、アーム係止部６７は、断面が略コ字状に形成され、第２の弾性アーム６３ｂが弾性可能に係止されている。係合部６６は、保持部６２ａの主面に立設された円柱状のボスであり、このボスの先端にバネ部材６３の抜け止めをする、中心がボスと偏倚した略楕円形状の抜止め部６６ａが形成されている。ボス６８には、第２の弾性アーム６３ｂの先端に形成された環状係止部６３ｅが弾性可能に係止される。
【００６２】
付勢機構６１のバネ部材６３は、第１の弾性アーム６３ａと第２の弾性アーム６３ｂと、この第１及び第２の弾性アーム６３ａ、６３ｂとに連続されるとともに、ホルダ部材６２に係合される環状係合部６３ｄとからなる。バネ部材６３の第１の弾性アーム６３ａは、その先端が折曲げ形成されアーム係止部６５に係止される係止部６３ｃを構成し、基端において環状係合部６３ｄと連続されている。第２の弾性アーム６３ｂは、基端において環状係合部６３ｄと連続され、先端にボス６８に係止される環状係止部６３ｅが形成されている。
【００６３】
バネ部材６３は、１本の針金を折り曲げることで、各部が一体に形成される。バネ部材６３は、第１及び第２の弾性アーム６３ａ、６３ｂが互いに離間する方向に付勢された状態で、ホルダ部材６２の保持部６２ａに係止される。バネ部材６３は、第１の弾性アーム６３ａの係止部６３ｃがアーム係止部６５に係止され、第２の弾性アーム６３ｂがアーム係止部６７に係止される。このとき、バネ部材６３は、それぞれのアーム係止部６５、６７と、第１及び第２の弾性アーム６３ａ、６３ｂが互いに近接する方向には弾性変形することができるように係止されている。さらに、バネ部材６３は、環状係合部６３ｄが係合部６６に係合され、ホルダ部材６２と一体となるように取り付けられる。バネ部材６３の環状係止部６３ｅは、ホルダ部材６２のうち、その回動支点であるボス３５から一番離間する位置に係止される。そして、シャーシ２６に形成されるボス６４は、その一部が環状係止部６３ｅの回動領域上に位置するように形成されている。具体的には、ボス６４は、ホルダ部材６２が光軸位置にあるときに、環状係止部６３ｅを押圧し、環状係止部６３ｅが取り付けられたホルダ部材６２を規制片３６ａに向かって押圧する位置に設けられる。このため、ボス６４は、ホルダ部材６２が光軸位置にあるときに、環状係止部６３ｅを介してホルダ部材６２を規制片３６ａ側に付勢し続ける。
【００６４】
このとき、押圧された環状係止部６３ｅは、環状係合部６３ｄと連続され、この環状係合部６３ｄがホルダ部材６２の係合部６６に係合されている。このため、ホルダ部材６２は、環状係止部６３ｅからの押圧力が伝達され、ホルダ部材６２自体を規制片３６ａ側に押圧する。そして、赤外光カットガラス切換部６０では、ホルダ部材６２が光軸位置にあるときに、バネ部材６３とボス６４とにより、ホルダ部材６２を光軸位置に付勢し続けるので、赤外光カットガラス３１を正確に位置合わせすることができる。
【００６５】
赤外光カットガラス切換部６０は、赤外光カットガラス３１が退避位置から光軸位置に切換操作がなされると、駆動機構４０の駆動モータ４１を駆動し、ウォーム５１、ウォームホイール５２を介してホルダ部材６２を光軸位置に向かって回動させる。そして、ホルダ部材６２が光軸位置となる手前で、ホルダ部材６２に取り付けられたバネ部材６３の環状係止部６３ｅの周面の一部がボス６４と当接する。ボス６４と当接した環状係止部６３ｅは、さらに駆動モータ４１からの駆動力が伝達され、ボス６４を回避するようにバネの付勢力に抗して第１の弾性アーム６３ａ側に収縮する。そして、ホルダ部材６２は、環状係止部６３ｅが、その中心がボス６４の中心よりｙ軸方向でボス３５側に位置するまで回動される。すなわち、赤外光カットガラス切換部６０では、ホルダ部材６２に取り付けられた環状係止部６３ｅが収縮することによりボス６４を回避して、ホルダ部材６２の回動支点であるボス３５側に位置するようにホルダ部材６２全体が回動される。光軸位置に達したホルダ部材６２は、規制片３６ａに規制され、その回動が規制されるが、このとき、環状係止部６３ｅにおいては、ボス６４に押圧されている。ボス６４は、ｙ軸方向でホルダ部材６２の回動支点であるボス３５側にある環状係止部６３ｅを押圧するので、ホルダ部材６２を規制片３６ａに向かって押圧することとなる。
【００６６】
以上のような構成を有する本発明に係る赤外光カットガラス切換部６０は、バネ部材６３がボス６４に押圧されることで、ホルダ部材６２を光軸位置に維持し続ける。したがって、ホルダ部材６２に保持された赤外光カットガラス３１は、光軸位置に正確に配置され、ガタつき等を考慮した大きめのサイズとする必要がなくなる。さらに、ホルダ部材６２が光軸位置から離間する外力が作用した場合であっても、ウォーム５１及びウォームホイール５２の作用と、バネ部材６３の付勢力により、規制片３６ａへの当接を維持し続けることができる。また、赤外光カットガラス切換部６０は、光軸位置においてウォーム５１の当接部５３がウォームホイール５２の規制部５４と当接し、ウォーム５１の回転が規制される。このため、ウォーム５１の歯車とウォームホイール５２のギアとの喰い付きを防止することができる。
【００６７】
また、赤外光カットガラス切換部６０は、赤外光カットガラス切換部１６と同様に、赤外光カットガラス３１が、光軸７と直交する平面上を回動することから、光軸７方向への嵩高が抑えられ、レンズ鏡筒５の全長を短くすることができる。このため、レンズ鏡筒５の小型化が実現できるとともに、撮像素子１７に入射する光量を増やすことができる。
【００６８】
さらに、赤外光カットガラス切換部６０では、環状係止部６３ｅ及びボス６４が互いに円弧状の周面が当接されるので、ホルダ部材６２の回動抵抗が低減された形状となっており、駆動モータ４１への負荷が少なく、そのため、駆動モータ４１を大型なものとする必要がない。
【００６９】
なお、赤外光カットガラス切換部６０は、上述のような、バネ部材６３を有する付勢機構６１を備えることに限らない。すなわち、赤外光カットガラス切換部６０では、バネ部材６３をシャーシ２６側に設け、ボス６４をホルダ部材６２側に設けるようにしてもよい。さらに、バネ部材６３に代えて、ボス６４と当接しホルダ部材６２を図１３中矢印Ａ方向に押圧する、例えばピンをホルダ部材６２上に立設してもよい。このとき、立設されたピンは、ホルダ部材６２が光軸位置に至る手前で、ボス６４と当接することとなるが、このボス６４を乗り越えて、ｙ軸方向でボス３５側に位置できるようにボス６４を一旦回避する機構が必要となる。
【００７０】
なお、赤外光カットガラス切換部６０は、上述のように、ウォーム５１及びウォームホイール５２を備えるとともに、さらに、付勢機構６１を備えることに限らない。例えば、付勢機構６１を、第１の実施の形態として示したウォーム４４及びウォームホイール３２ｃを有する赤外光カットガラス切換部１６に適用することでもよい。さらに、付勢機構６１のみを有する赤外光カットガラス切換部であってもよい。
【００７１】
また、本発明は、上述した実施の形態のみに限定されるものではなく、本発明の要旨を逸脱しない範囲において種々の変更が可能であることは勿論である。
【図面の簡単な説明】
【００７２】
【図１】本発明を適用したレンズ鏡筒を備える撮像装置の外観斜視図である。
【図２】本発明を適用したレンズ鏡筒の外観斜視図である。
【図３】本発明を適用したレンズ鏡筒の断面図である。
【図４】本発明を適用した赤外光カットガラス切換部の組立斜視図である。
【図５】（Ａ）は、赤外光カットガラス切換部の平面図であり、（Ｂ）は、Ｉ−Ｉにおける断面図であり、（Ｃ）は、ＩＩ−ＩＩにおける断面図である。
【図６】駆動モータの取り付け位置を説明するための要部斜視図である。
【図７】シャーシにカバー部材が取り付けられた駆動機構の要部斜視図である。
【図８】シャーシに取り付けられた駆動モータの断面図である。
【図９】赤外光カットガラス切換部の切換動作を説明するための斜視図であり、（Ａ）は、赤外光カットガラスが退避位置にあり、（Ｂ）は、赤外光カットガラスが光軸位置にある状態を示す斜視図である。
【図１０】（Ａ）は、第２の実施の形態として示す赤外光カットガラス切換部の駆動機構を示す斜視図であり、（Ｂ）は、図（Ａ）の裏面側からの斜視図である。
【図１１】（Ａ）は、ウォームの当接部がウォームホイールの規制部に当接し規制される様子を示す斜視図であり、（Ｂ）はその回転軸と直交する方向からの平面図であり、（Ｃ）は、要部断面図である。
【図１２】（Ａ）は、他の実施の形態として示す赤外光カットガラス切換部の付勢機構を説明するための斜視図であり、（Ｂ）は、バネ部材の平面図である。
【図１３】付勢機構を有する赤外光カットガラス切換部の平面図である。
【符号の説明】
【００７３】
１  デジタルビデオカメラ、２  本体部、３  パネル部、４  グリップ部、５  レンズ鏡筒、６  ステレオマイク、７  光軸、１０  鏡筒本体、１６、６０  赤外光カットガラス切換部、１７  撮像素子、２６  シャーシ、２６ａ  立壁部、２６ｂ  摺動片、２６ｃ  位置決め孔、３１  赤外光カットガラス、３２、６２  ホルダ部材、３２ａ  開口部、３２ｂ  軸受部、３２ｃ、５２  ウォームホイール、３３  カバー部材、３３ａ  開口部、３３ｂ  挿通孔、３３ｃ  位置決め片、３４  開口部、３５  ボス、３６ａ  規制片、３６ｂ  規制片、３７  モータ保持部、３７ａ  凹部、３７ｂ  立壁部、３７ｃ  位置決め孔、３７ｄ  傾斜部、３８  付勢部、４０、５０  駆動機構、４１  駆動モータ、４２  モータ本体、４２ａ  位置決め片、４３  回転軸、４４、５１  ウォーム、５３  当接部、５４  規制部、６１  付勢機構、６２ａ  保持部、６３  バネ部材、６３ａ  第１の弾性アーム、６３ｂ  第２の弾性アーム、６３ｃ  係止部、６３ｄ  環状係合部、６３ｅ  環状係止部、６４  ボス、６５  アーム係止部、６６  係合部、６７  アーム係止部、６８  ボス
【図１】
2010156807.tif 000003
【図２】
2010156807.tif 000004
【図３】
2010156807.tif 000005
【図４】
2010156807.tif 000006
【図５】
2010156807.tif 000007
【図６】
2010156807.tif 000008
【図７】
2010156807.tif 000009
【図８】
2010156807.tif 000010
【図９】
2010156807.tif 000011
【図１０】
2010156807.tif 000012
【図１１】
2010156807.tif 000013
【図１２】
2010156807.tif 000014
【図１３】
2010156807.tif 000015